(57)【特許請求の範囲】
【請求項１】
外枠と、上下左右の枠部で構成され、左右一方の枠部が前記外枠に開放可能にヒンジ接続された中枠と、前記中枠に対し開閉可能に配設された前枠と、前記中枠に鍵孔が前面に臨むよう配設され、設定された解錠コードに対応するカギにより一方向に解錠された際に外枠に対する中枠の開放を許容すると共に、該カギにより他方向に解錠された際に中枠に対する前枠の開放を許容する解錠コード可変式の施錠装置とを備えた遊技機において、
前記中枠の下側の枠部における左右他方の枠部側に形成され、前方および左右他方の枠部側に向けて開放する収容空間を画成する後方カバー部と、
前記左右他方の枠部の外側面側に配設され、前記外枠と中枠とを施錠すると共に前記施錠装置を一方向に解錠した際に作動して外枠と中枠とを解錠する板状の第１施錠機構と、
前記左右他方の枠部の外側面側に配設され、前記前枠と中枠とを施錠すると共に前記施錠装置を他方向に解錠した際に作動して前枠と中枠とを解錠する板状の第２施錠機構と、
前記左右他方の枠部における前記収容空間に対応する箇所に形成した中枠開口部、前記第１施錠機構における収容空間に対応する箇所に形成した第１開口部および前記第２施錠機構における収容空間に対応する箇所に形成した第２開口部により構成され、該収容空間に連通するリセット用開口部とを備え、
前記施錠装置は、前記左右他方の枠部の内側面側に配設され、該施錠装置の後部に設けた前記解錠コードをリセットする操作部が前記収容空間に収容された状態で前記後方カバー部および左右他方の枠部により覆われるよう構成され、
前記外枠に対して中枠を閉成した際に、前記リセット用開口部が外枠の内側面で覆われて前記施錠装置の操作部に対するリセット操作が規制されると共に、
前記外枠に対して中枠を開放した際に、前記リセット用開口部を介して前記施錠装置の操作部に対するリセット操作が許容されるよう構成した
ことを特徴とする遊技機における施錠装置の不正リセット防止構造。
【請求項２】
前記左右他方の枠部は、後方から前方に向けて機外方向へ広がる段状に形成され、前記リセット用開口部は、該他方の枠部における最も機外側に位置する段部より機内側で開口している請求項１記載の遊技機における施錠装置の不正リセット防止構造。
【発明の詳細な説明】
【技術分野】
【０００１】
この発明は、遊技機に設けられ、解錠コードを変更可能な施錠装置に対する不正なリセット操作を防止し得る遊技機における施錠装置の不正リセット防止構造に関するものである。
【背景技術】
【０００２】
代表的な遊技機であるパチンコ式遊技機には、特許文献１に示す如く、リセットレバーを操作することにより解錠コードをリセット(初期化)し得る解錠コード可変式の施錠装置が、前枠および中枠、または中枠および外枠の施錠装置として広く採用されている。特許文献２に示されるように、このような施錠装置は、通常、中枠の一方側(例えば、右側)に取付けられ、カギを挿入するための鍵穴を遊技機の前面に臨ませている。また、前記リセットレバーは、施錠装置の後部側に設けられており、前記中枠を閉成した状態においては、リセットレバーが遊技機の裏側に位置するようになっている。一方、施錠装置の解錠コードをリセットする際には、前記中枠を開放してリセット操作が行なわれる。すなわち、前記リセットレバーを施錠装置の後部に設けることで、中枠の閉成時(遊技時)には、リセットレバーは遊技機の裏側に位置するので、遊技機の前側からの自由なリセット操作を防止し得るようになっている。
【特許文献１】特許第２８９３６１４号公報
【特許文献２】特開２００３−１９０５６６号公報
【発明の開示】
【発明が解決しようとする課題】
【０００３】
ところで、一般的な遊技場では、複数の遊技機が並列的に近接配置されて、いわゆる「島」を構成して遊技に供されているが、隣接する遊技機同士の間には僅かな隙間が形成されてしまう。従って、このような隙間からピアノ線等の不正器具を挿入させて、該不正器具を遊技機の裏側から前記リセットレバーへ到来させることができれば、施錠装置の不正なリセット操作が行なわれてしまう畏れがあった。すなわち、従来の構造では、リセットレバーの不正操作を完全に防止し得るものではなく、更なる改善が望まれていた。
【０００４】
そこで本発明は、従来の不正リセット防止構造に内在する前記問題に鑑み、これを好適に解決するべく提案されたものであって、不正なリセット操作を防止し得る遊技機における施錠装置の不正リセット防止構造を提供することを目的とする。
【課題を解決するための手段】
【０００５】
前記課題を克服し、所期の目的を達成するため、請求項１に係る遊技機における施錠装置の不正リセット防止構造は、
外枠(12)と、上下左右の枠部(32,34,36,38)で構成され、左右一方の枠部(36)が前記外枠(12)に開放可能にヒンジ接続された中枠(14)と、前記中枠(14)に対し開閉可能に配設された前枠(16)と、前記中枠(14)に鍵孔(58a)が前面に臨むよう配設され、設定された解錠コードに対応するカギにより一方向に解錠された際に外枠(12)に対する中枠(14)の開放を許容すると共に、該カギにより他方向に解錠された際に中枠(14)に対する前枠(16)の開放を許容する解錠コード可変式の施錠装置(58)とを備えた遊技機において、
前記中枠(14)の下側の枠部(34)における左右他方の枠部(38)側に形成され、前方および左右他方の枠部(38)側に向けて開放する収容空間(82)を画成する後方カバー部(64)と、
前記左右他方の枠部(38)の外側面側に配設され、前記外枠(12)と中枠(14)とを施錠すると共に前記施錠装置(58)を一方向に解錠した際に作動して外枠(12)と中枠(14)とを解錠する板状の第１施錠機構(42)と、
前記左右他方の枠部(38)の外側面側に配設され、前記前枠(16)と中枠(14)とを施錠すると共に前記施錠装置(58)を他方向に解錠した際に作動して前枠(16)と中枠(14)とを解錠する板状の第２施錠機構(44)と、
前記左右他方の枠部(38)における前記収容空間(82)に対応する箇所に形成した中枠開口部(38a)、前記第１施錠機構(42)における収容空間(82)に対応する箇所に形成した第１開口部(42a)および前記第２施錠機構(44)における収容空間(82)に対応する箇所に形成した第２開口部(44a)により構成され、該収容空間(82)に連通するリセット用開口部(80)とを備え、
前記施錠装置(58)は、前記左右他方の枠部(38)の内側面側に配設され、該施錠装置(58)の後部(58d)に設けた前記解錠コードをリセットする操作部(58b)が前記収容空間(82)に収容された状態で前記後方カバー部(64)および左右他方の枠部(38)により覆われるよう構成され、
前記外枠(12)に対して中枠(14)を閉成した際に、前記リセット用開口部(80)が外枠の内側面で覆われて前記施錠装置(58)の操作部(58b)に対するリセット操作が規制されると共に、
前記外枠(12)に対して中枠(14)を開放した際に、前記リセット用開口部(80)を介して前記施錠装置(58)の操作部(58b)に対するリセット操作が許容されるよう構成したことを特徴とする。
請求項１の発明によれば、前記施錠装置の操作部を後方カバー部および左右他方の枠部で覆うようにしたので、操作部の不正なリセット操作を確実に防止し得る。また、収容空間に連通するリセット用開口部を開設したので、中枠を開放した状態における適正なリセット操作を行うことが可能となる。しかも、このリセット用開口部は、中枠の閉成時に外枠によって覆われるので、遊技時に不正器具をリセット用開口部から侵入させることはできず、該リセット用開口部を介しての不正操作を防止し得る。
【発明の効果】
【０００６】
本発明に係る遊技機における施錠装置の不正リセット防止構造によれば、施錠装置の操作部に対する不正なリセット操作を確実に防止することができる。
【発明を実施するための最良の形態】
【０００７】
次に、本発明に係る遊技機における施錠装置の不正リセット防止構造につき、好適な実施例を挙げて、添付図面を参照しながら、以下詳細に説明する。なお実施例では、遊技球を使用して遊技を行なう一般的な遊技機(パチンコ機)を例として、本発明を説明する。また、以下の説明において前・後および左・右とは、特に断りのない限り、図１に示すように遊技機１０の遊技盤２０を正面側から見た場合において指称するものとする。
【実施例】
【０００８】
図１は、本発明に係る遊技機における施錠装置５８の不正リセット防止構造が採用された遊技機１０の正面図である。この遊技機１０は、その基本構造として、外観形状を構成する機枠としての外枠１２、中枠１４(図４参照)および前枠１６を備え、該中枠１４の前方側に画成される遊技盤保持空間１８に、前面に遊技領域２０ａを画成する遊技盤２０が配設される。遊技機１０の一方側(図１の左側)には、前記中枠１４および前枠１６、外枠１２および中枠１４を夫々ヒンジ接続するヒンジ機構２２が上下に離間して複数設けられ、外枠１２に対して中枠１４が、また中枠１４に対して前枠１６が夫々開閉自在に組付けられている。なお、以下の説明においては、図１における遊技機１０の左側(ヒンジ側)を軸側、右側を開放側と指称することとする。また、図中の符号２４および２６は、夫々、上皿および下皿を示し、また符号２８は、図示しない打球発射装置を作動するハンドル部を示している。
【０００９】
遊技機１０の前面に設けられる前枠１６は、遊技者から最も視認され易い部材であり、ランプやボタン等、各種の装飾・表示部材が配設されて、美観の向上が図られている。また、前枠１６の下部を構成する前記下皿２６は、該前枠１６とは別体的に構成され、中枠１４に対して独立して開放し得るようになっている。
【００１０】
図２は、中枠１４の各枠部を分解した状態で示ず斜視図であり、図３は、前枠１６を取外した状態の中枠１４を、前方から見た斜視図である。前記中枠１４は、上枠部３２、下枠部３４、軸側枠部３６(一方の側部)および中枠開放側枠部(他方の側部)３８を矩形枠状に組付けて構成され、その内側面に前記遊技盤保持空間１８が画成される。前記上枠部３２および下枠部３４は、夫々、樹脂により一体成形され、また、前記軸側枠部３６および中枠開放側枠部３８は、金属等により形成されている。図４に示すように、前記上枠部３２の後方側には、上方に開口して遊技球を貯留する球タンク４６が設けられると共に、上枠部３２の軸側には、前記ヒンジ機構２２が取付けられている。前記軸側枠部３６には、前記遊技盤２０の軸側を支持する遊技盤支持部３６ａ,３６ａが上下に離間して設けられている。前記下枠部３４には、打球発射装置やスピーカ等の各種装置が配設されると共に、軸側の下枠部３４における中央部および下部に前記ヒンジ機構２２,２２が設けられている。また、下枠部３４の前面開放側にカバー部材４０が設けられ、該カバー部材４０に開設された第１挿通孔４０ａを介して、前記ハンドル部２８が下枠部３４に取付けられる。更に、下枠部３４の開放側には、前方および開放側に開放する収納空間８２が画成され、前記中枠開放側枠部３８を下枠部３４に組付けた際に、後述する施錠装置５８が収納空間８２に収容されるようになっている。すなわち、図７および図８に示すように、下枠部３４における前記収納空間８２を画成する部位が、施錠装置５８の後部５８ｄを覆って保護する後方カバー部(保護カバー)６４として機能している。なお、中枠１４の後面側には、遊技盤２０に配設された図柄表示装置、基板等の電子部品を保護するためのリアパック４８が設けられる(図４参照)。
【００１１】
遊技機１０の外郭形状を規定する外枠１２は、図１３に示すように、中枠１４と同様に上下左右の４枚の枠部により矩形枠状に形成され、こられ枠部が形成する内部領域に中枠１４を収納保持すると共に、外枠１２に対する中枠１４の閉成状態で前記前枠１６の外周側の表面が外枠１２の前面に当接するよう構成される。なお、外枠１２を形成する各枠部のうち、殊に、開放側の枠部を外枠開放側枠部５０、軸側の枠部を外枠軸側枠部１２ａと指称することとする。また前記外枠開放側枠部５０の内側には、遊技機１０の機内側へ向けて突出する係合片５０ａが上下に離間して２つ設けられると共に、両係合片５０ａ,５０ａの間に押圧片５０ｂが設けられ、該押圧片５０ｂは、中枠１４を外枠１２に対して閉成した際に、後述の第１開放規制部材５２の被押圧片５２ａを押圧するよう構成される。
【００１２】
図５および図６に示すように、前記中枠１４の中枠開放側枠部３８には、前記前枠１６および中枠１４の開閉時に作動して施錠・解錠を行なう第１,第２施錠機構４２,４４が設けられると共に、該施錠機構４２,４４を開放動作させる前記施錠装置５８が、取付部５６を介して中枠開放側枠部３８の機内側に取付けられている。そして、これら中枠開放側枠部３８、施錠機構４２,４４および施錠装置５８が、施錠部６０として１つのユニットを構成している。
【００１３】
前記施錠装置５８は、前記中枠開放側枠部３８の機内側において、前記遊技盤保持空間１８を狭めない位置に設けられ、中枠１４を閉成した際に、施錠装置５８の鍵穴５８ａが、前記カバー部材４０の第２挿通孔４０ｂを介して外枠開放側枠部５０の近傍に臨むようになっている(図１参照)。この施錠装置５８は、解錠コード(各カギに対応したコード)を変更可能な可変式の施錠装置であって、図５(ａ)および図７に示すように、設定された解錠コードをリセットするためのリセットレバー(操作部)５８ｂが、施錠装置５８の後部５８ｄに設けられている。前記解錠コードをセット(設定)する場合には、先ず始めに、リセットレバー５８ｂを操作して押下げることで施錠装置５８をリセット状態(フリー状態)とする。そして、任意のカギを鍵穴５８ａに挿通し、施錠装置５８のシリンダ５８ｃを回転させることで、当該カギに対応した解錠コードに設定することができ、この解錠コードが再びリセットされるまで、そのカギでのみ施錠装置５８を解錠させることが可能となる。また、前記解錠コードをリセットすれば、他の異なるカギに対応するよう何度でも解錠コードを変更することができる。図６に示すように、前記施錠装置５８の後方側には、前記シリンダ５８ｃに軸支されたカム６２が回転自在に設けられ、解錠時の回転力によって該カム６２に係合する前記第１,第２施錠機構４２,４４を上下にスライドさせるようになっている。
【００１４】
前述したように、前記施錠装置５８のリセットレバー５８ｂの後方側は、下枠部３４に一体成形された後方カバー部６４によって覆われており、また、施錠装置５８の開放側は中枠開放側枠部３８が延在している。すなわち、前記施錠装置５８のリセットレバー５８ｂは、後方カバー部６４および前記中枠開放側枠部３８によって覆われ、これら後方カバー部６４および中枠開放側枠部３８がリセットレバー５８ｂの不正操作を防止する保護カバーとしての機能を果たしている。更に、図６および図７に示すように、前記中枠開放側枠部３８における施錠装置５８の後部５８ｄに対応する部位には、中枠開放側枠部３８の機内外方向に向けて開口する中枠開口部３８ａが開設されいる。また、後述するように、前記第１,第２施錠機構４２,４４にも、前記中枠開口部３８ａに対応して開口部４２ａ,４４ａが夫々開設され、これら中枠開口部３８ａおよび両開口部４２ａ,４４ａを介してリセットレバー５８ｂにアクセスし得るようになっている。すなわち、実施例においては、これら中枠開口部３８ａおよび開口部４２ａ,４４ａがリセット用開口部８０として機能するようになっている。そして、解錠コードをリセットする際には、針金等の操作桿をリセット用開口部８０を介して中枠１４の機内側へ挿入させて、リセットレバー５８ｂを操作することができる。前記リセット用開口部８０は、中枠１４の閉成時においては、図８に示す如く、前記外枠開放側枠部５０の内側面５０ｃによって閉塞(覆われる)されており、図４および図７に示すように、中枠１４を開放させた場合にのみ外部に臨むよう構成される。
【００１５】
前述したように、従来の施錠装置５８には、リセットレバー５８ｂを保護するカバーが設けられておらず、図８の矢印が示すように、隣接する遊技機１０との隙間Ｓから侵入させた操作桿により、リセットレバー５８ｂを不正に操作されてしまう畏れがあった。しかるに、不正リセット防止構造が実装された実施例に係る遊技機１０においては、施錠装置５８の後方および機内側を前記後方カバー部６４が、また、施錠装置５８の開放側(側面側)を中枠開放側枠部３８が覆うので、遊技機１０の隙間から操作桿を侵入させたとしてもリセットレバー５８ｂへ到達することはできず、不正なリセット操作は防止される。すなわち、前記リセットレバー５８ｂの操作は、中枠１４を開放させた場合にのみ許容され、中枠１４の閉成時には、リセットレバー５８ｂへのアクセスは不能とされる。
【００１６】
次に、実施例の遊技機１０に採用される前記施錠部６０(中枠開放側枠部３８、第１,第２施錠機構４２,４４および施錠装置５８)の具体的構成について、以下説明を行なう。図６は、施錠部６０の分解斜視図である。前記施錠部６０は、中枠開放側枠部３８に、第１,第２施錠機構４２,４４および施錠装置５８を直接取付けて構成される。前記第１施錠機構４２は、中枠１４と外枠１２とを施錠・解錠し、また、前記第２施錠機構４４は、前枠１６と中枠１４との施錠・解錠を行なう。この第１,第２施錠機構４２,４４は、遊技球や遊技盤２０の側部との干渉を防止するため、夫々、中枠開放側枠部３８の機外方向側に配設される。第１施錠機構４２は、後方に突出する２つの中枠鉤片４２ｂ,４２ｂと、これらを連結して共に昇降させる板状の第１施錠杆４２ｃとを有し、該第１施錠杆４２ｃの下端部には前方に突出する規制部４２ｄが形成される。前記中枠鉤片４２ｂ,４２ｂの先端には、夫々折返しが上側に向けて設けられると共に、その上端を前方から後方に掛けて下方傾斜させている。そして、中枠１４を外枠１２に対して閉成した際に、両中枠鉤片４２ｂ,４２ｂが外枠開放側枠部５０の係合片５０ａ,５０ａ(図１３参照)に係合するようになっている。
【００１７】
前記第２施錠機構４４は、前記第１施錠機構４２と同様な板状体であって、前方に突出する３つの前枠鉤片４４ｃ,４４ｃ,４４ｃと、これらをつなぐ第２施錠杆４４ｄとを備えている。各前枠鉤片４４ｃは、その下部が前方から後方へかけて下方傾斜したフック形状をなしており、前記前枠１６を中枠１４に対し閉成した際に、前枠１６の図示しない挿通溝に係合するようになっている。前記第２施錠杆４４ｄの中間部には、後方に突出する指先操作部４４ｅが設けられている。この指先操作部４４ｅは、中枠１４が外枠１２に対して開放している状態(図４参照)で、更に前枠１６を施錠装置５８を使用せずに開放させる場合に、前記第２施錠機構４４を手指でスライドさせるためのものである。更に、第１施錠機構４２および第２施錠機構４４の良好な機械特性と耐久性、および部品点数の削減や加工コストの低減の観点から、前記中枠開放側枠部３８と同様に、両施錠機構４２,４４を金属板材料により一体成形するのが好適である。なお、第１施錠機構４２の下方へのスライドが中枠開放作動に、また、第２施錠機構４４の上方へのスライドが前枠開放作動に夫々対応している。また、前記施錠装置５８を図１の時計回り方向へ回転させると中枠１４が外枠１２に対して開放し、また、施錠装置５８を図１の反時計回り方向へ回転させると、前枠１６が中枠１４に対して開放するものとする。
【００１８】
前記第１,第２施錠機構４２,４４には、夫々、前記中枠開口部３８ａと対応する位置に開口部４２ａ,４４ａが開設されて前記リセット用開口部８０を構成している。そして、前記カム６２が中枠開口部３８ａを介して両開口部４２ａ,４４ａに係合している。すなわち、第１,第２施錠機構４２,４４に設けられた開口部４２ａ,４４ａは、操作桿でリセットレバー５８ｂを操作するための挿通孔としての機能と、カム６２が係合するための被係合部としての機能を併せ持っている。図６に示すように、前記カム６２は２つの突片(第１突片６２ａおよび第２突片６２ｂ)を有し、第１突片６２ａが第１施錠機構４２の開口部４２ａに形成された第１突片押下部４２ｆと、また第２突片６２ｂが第２施錠機構４４の開口部４４ａに形成された第２突片押上部４４ｆと係合し、解錠時に両第１,第２施錠機構４２,４４をスライドするようになっている。また、第１施錠機構４２の開口部４２ａにおける第２突片６２ｂの回転面に対応する位置に切欠４２ｇが設けられ、前枠１６の解錠時に第２突片６２ｂが干渉するのを防止している。更に、第２施錠機構４４の開口部４４ａにおける第１突片６２ａの回転面に対応する位置にもスリット４４ｇが形成され、中枠１４の解錠時における第１突片６２ａの干渉防止が図られている。なお、カム６２が施錠装置５８によって回転する際に第１突片６２ａが描く回転面と、第２突片６２ｂが描く回転面とは、遊技機１０の前後方向に若干オフセットするよう設定される。
【００１９】
図６に示すように、前記第１施錠機構４２と第２施錠機構４４との間には、第１開放規制部材５２および閉鎖規制部材６６が設けられると共に、前記中枠開放側枠部３８と第１施錠機構４２との間には、第２開放規制部材５４が設けられている。第１,第２開放規制部材５２,５４は、中枠１４と外枠１２とが閉成している状態で、第１施錠杆４２ｃが施錠位置から開放位置に移動(下方ヘスライド)するのを規制するべく機能する。第１開放規制部材５２は、後方に突出する被押圧片５２ａおよびストッパー片５２ｂを備え、その上部を第１弾性体６８に係止した状態で、第１ピン７０を介して中枠開放側枠部３８に揺動自在に取付けられる。この第１開放規制部材５２は、第１弾性体６８により、常に前記被押圧片５２ａを後方へ回動させる向きへ付勢されており、中枠１４の開放時には前記ストッパー片５２ｂが前方へ臨むようになっている。また、中枠１４の閉成時には、外枠１２の押圧片５０ｂにより前記被押圧片５２ａが前方へ押圧されて、前記ストッパー片５２ｂを後方へ突出させるようになっている(図９(ａ)参照)。
【００２０】
第２開放規制部材５４は、前記ストッパー片５２ｂと当接可能なストッパー当接部５４ａと、前記カム６２の第１突片６２ａにより押下げられる第１突片当接部５４ｂとを備えている。更に、第２開放規制部材５４の上部は前記第１弾性体６８に係止されて、第１施錠杆４２ｃに第２ピン７２を介して揺動自在に支持される。すなわち、前記第１施錠機構４２を下方へスライドさせると、この第２開放規制部材５４は、前記第１弾性体６８によって上方へ付勢されつつ第１施錠機構４２と共に下降するようになっている。従って、前記第１施錠機構４２は、スライド時、常に上方への弾性力が付与されることとなる。更に第２開放規制部材５４は、前記第１弾性体６８によって前記第１突片当接部５４ｂを前方へ押し出すよう付勢されて、常に該第１突片当接部５４ｂが前記中枠開口部３８ａ(リセット用開口部８０)に臨むよう構成される。前記閉鎖規制部材６６は、第１施錠杆４２ｃの前記規制部４２ｄと係合可能な規制片６６ａと、中枠１４の閉成時に外枠１２の下方側の係合片５０ａにより押圧される規制解除部６６ｂとを有し、中枠開放側枠部３８に第３ピン７４を介して揺動自在に取付けられる。また閉鎖規制部材６６は、第２弾性体７６により、常に規制片６６ａを後退させる方向に、また規制解除部６６ｂを上昇させる方向(図９(ｂ)における反時計回り方向)に付勢されており、第１施錠機構４２が最下端に到来した場合に前記規制部４２ｄとの係合が自動的に行なわれるようになっている。
【００２１】
次に、実施例に係る中枠開放側枠部３８の具体的構成について、以下説明を行なう。図６〜図８に示すように、前記中枠開放側枠部３８は、複数の段からなる階段状の横断面形状を有する板材料から形成され、該横断面形状は、遊技機１０の後側から前側に向かって機外方向に広がる方向に形成されている。中枠開放側枠部３８の最も機外側に形成される第１段部３８ｂには、中枠１４の閉成時に前記外枠開放側枠部５０の前縁部が収納されるようになっている(図８参照)。また、中枠開放側枠部３８の第１段部３８ｂより機内側に形成される第２段部３８ｃには、前記第１,第２施錠機構４４をスライド自在に収容し得るよう構成される。また第２段部３８ｃには、前記前枠鉤片４４ｃ,４４ｃ,４４ｃを挿通可能な挿通溝３８ｄ,３８ｄ,３８ｄが開設されている(図５(ｂ)参照)。更に、図６に示すように、中枠開放側枠部３８の後方には、前記外枠１２の係合片５０ａ,５０ａが係合するスリット３８ｅ,３８ｅが上下に２つ設けられ、両スリット３８ｅ,３８ｅに対応して後縁部に開口部３８ｉ,３８ｉが形成されている。なお、中枠開放側枠部３８の横断面には、中空の２つの閉領域３８ｆ,３８ｆ、段差部３８ｇおよび２つの突起部３８ｈ,３８ｈが形成され、中枠開放側枠部３８の局所的な座屈や曲げ変形に対する強度向上が図られている。また、前述したように、中枠開放側枠部３８は機械特性の観点から金属材料より形成されるのが好適であるが、このような前記階段形状等を有する横断面をなすことから、押出成形によって成形するのがよい。
【００２２】
(実施例の作用)
次に、実施例に係る遊技機１０における施錠装置５８の不正リセット防止構造の作用について説明する。先ず始めに、中枠１４−外枠１２および前枠１６−中枠１４の夫々の開閉構造について説明を行なう。外枠１２に対して中枠１４が閉成している場合においては、図１０(ａ)に示すように、前記第１施錠機構４２の中枠鉤片４２ｂ,４２ｂが、前記中枠開放側枠部３８の開口部３８ｉ,３８ｉおよびスリット３８ｅ,３８ｅと重なる位置(以下、施錠位置とする)にあって、スリット３８ｅ,３８ｅに収納された外枠１２の係合片５０ａ,５０ａに係合している。また、外枠１２の前記押圧片５０ｂは、第１開放規制部材５２の被押圧片５２ａを遊技機１０の前方側へ押圧しており、図９(ａ)に示すように、第１開放規制部材５２のストッパー片５２ｂが前記第２開放規制部材５４のストッパー当接部５４ａ付近に臨んでいる。従って、中枠１４の閉成時において、第２開放規制部材５４は下方へのスライドが規制され、これにより第２開放規制部材５４と第２ピン７２を介して連結される第１施錠機構４２の下降が防止される。更に、図９(ｂ)に示すように、中枠１４の閉成時においては、前記閉鎖規制部材６６の規制解除部６６ｂは外枠１２の係合片５０ａ(図１３参照)により前方側へ押圧されている。
【００２３】
この状態において、施錠コードが一致するカギで前記施錠装置５８を一方向(図１では時計回り方向)へ回動させると、前記カム６２の第１突片６２ａが第２開放規制部材５４の第１突片当接部５４ｂに当接して、図９(ｃ)に示すように、該第１突片当接部５４ｂを後方へ押し上げ、前記ストッパー当接部５４ａとストッパー片５２ｂとの係合が解除される。そして前記カム６２の第１突片６２ａが前記第１施錠杆４２ｃの第１突片押下部４２ｆに当接し、第１施錠機構４２を下方へ押下げる。すると前記中枠鉤片４２ｂ,４２ｂが下方へスライドして、中枠開放側枠部３８の開口部３８ｉ,３８ｉおよびスリット３８ｅ,３８ｅから離間する(図１０(ｂ)参照)。これにより、前記外枠１２の係合片５０ａ,５０ａがスリット３８ｅ,３８ｅから離脱し、中枠１４を開放させることが可能となる。
【００２４】
前記中枠１４を開放させると、図４および図１１に示すように、中枠開放側枠部３８(施錠部６０)が外部へ臨み、前記施錠装置５８のリセットレバー５８ｂへのアクセスが許容される。従って、前記リセット用開口部８０(すなわち、中枠開口部３８ａおよび第１,第２施錠機構４２,４４の開口部４２ａ,４４ａ)を介して、線状の操作桿を挿通することで前記リセットレバー５８ｂをリセット操作することができる。すなわち、施錠装置５８の解錠コードをリセットする際には、前記中枠１４を開放し、線状の操作桿等を前記リセット用開口部８０に挿通すれば、リセットレバー５８ｂを操作することが可能となる。
【００２５】
中枠１４が開放可能となる図１０(ｂ)の状態から、更に施錠装置５８を回転させて前記第１施錠機構４２を解錠位置の最下方までスライドさせると、第１施錠機構４２の規制部４２ｄは閉鎖規制部材６６よりも下方に突出する(図９(ｄ)参照)。一方、閉鎖規制部材６６は前記第２弾性体７６の弾力により反時計回り方向に付勢されているので、前記規制片６６ａは後方へ回動して前記規制部４２ｄと係合する(図９(ｅ)参照)。これにより、その後、作業者が施錠装置５８に対するカギの回転操作を解除したとしても、第１施錠機構４２が前記第２弾性体７６に引っ張られて上方にスライドすることはなく、第１施錠機構４２を解錠位置に保持することができる。
【００２６】
また、中枠１４を閉成する場合には、図１０(ｃ)に示す前記規制片６６ａと規制部４２ｄとが係合した状態において、中枠１４を外枠１２に収納するよう押し当てると、前記閉鎖規制部材６６の規制解除部６６ｂは、中枠開放側枠部３８の下方側のスリット３８ｅに臨んだ外枠１２の係合片５０ａによって前方へ押込まれ、前記規制片６６ａと規制部４２ｄとの係合が解除される。これにより、第１施錠機構４２は前記第２弾性体７６の弾性力により引き上げられ、該第１施錠機構４２の中枠鉤片４２ｂ,４２ｂと外枠１２の係合片５０ａ,５０ａとが係合し、中枠１４と外枠１２とが施錠される。この時、外枠１２の前記押圧片５０ｂによって、第１開放規制部材５２の被押圧片５２ａが前方へ押し込まれ、第１開放規制部材５２のストッパー片５２ｂとストッパー当接部５４ａとが係合し、中枠１４と外枠１２との開放が規制される。これにより、中枠１４および外枠１２の施錠を確実に保持することが可能となる。
【００２７】
更に、中枠１４を閉成させた場合においては、図８に示すように、前記中枠開放側枠部３８は前記外枠開放側枠部５０の近傍に位置し、前記リセット用開口部８０は該外枠開放側枠部５０の内側面５０ｃによって覆われることとなる。しかも、前述のように、前記施錠装置５８の後方側には後方カバー部６４が設けられており、前記リセットレバー５８ｂは、後方カバー部６４および中枠開放側枠部３８によって完全に保護された状態となる。すなわち、中枠１４の閉成時においては、前記リセットレバー５８ｂへのアクセスが完全に不能となり、遊技時に不正器具を遊技機同士の隙間から侵入させたとしても、不正なリセット操作を行なうことは防止される。
【００２８】
次に、前枠１６を中枠１４に対して開放させる際には、前記施錠装置５８を他方側(図１の反時計回り方向)に回転させると、前記カム６２が回転されて、その第２突片６２ｂが第２施錠機構４４の第２突片押上部４４ｆと当接して該第２突片押上部４４ｆを上方に押し上げる。これにより、前記第２施錠機構４４が上方へスライドし、前記前枠鉤片４４ｃ,４４ｃ,４４ｃが解錠位置まで押し上げられるので、前枠１６に設けられた挿通溝との係合が解除され、前枠１６の開放が許容される。なお、図４に示す如く、中枠１４を外枠１２から開放させた状態においては、前記第２施錠機構４４に設けられた指先操作部４４ｅを手動で引き上げることで、前記施錠装置５８の解錠によらず前枠１６を開放させることができる。
【００２９】
また、前枠１６を中枠１４に対して閉成する場合には、施錠装置５８を反時計回り方向に回転させて、前記第２施錠機構４４の前枠鉤片４４ｃ,４４ｃ,４４ｃを押し上げた状態のまま、前枠１６を中枠１４に押し当てる。そして、各前枠鉤片４４ｃが前枠１６の挿通溝内へ臨んだ状態で施錠装置５８の付勢を解除すると、第２施錠機構４４は前記第２弾性体７６により下方へスライドされる。これにより、前枠鉤片４４ｃと前枠１６の挿通溝とが係合し、前枠１６と中枠１４との施錠が行なわれる。なお、図６に示すように、各前枠鉤片４４ｃは、前方から後方に掛けて下方傾斜しているので、前述したように施錠装置５８を前枠解錠方向へ付勢させずに前枠１６を閉成させたとしても、前枠１６の挿通溝縁部によって前枠鉤片４４ｃが自動的に押し上げられ、前枠１６の施錠が行なわれるようになっている。
【００３０】
以上に示したように、実施例に係る遊技機１０における施錠装置５８の不正リセット防止構造によれば、前記施錠装置５８のリセットレバー５８ｂを覆う保護カバー(後方カバー部６４および中枠開放側枠部３８)を設けたので、リセットレバー５８ｂの不正なリセット操作を確実に防止し得る。また、中枠開放側枠部３８にリセット用開口部８０(中枠開口部３８ａ)を開設したので、中枠１４を開放させた状態における適正なリセット操作を行なうことが可能となる。しかも、この機内外方向に開放するリセット用開口部８０は、中枠１４の閉成時に前記外枠開放側枠部５０によって側方側が覆われるので、遊技時に不正器具をリセット用開口部８０から侵入させることはできず、該リセット用開口部８０を介しての不正操作を防止し得る。
【００３１】
また、実施例で示した構成に付随する効果として、更に、以下を挙げることができる。従来の遊技機１０における施錠部６０では、断面Ｌ字状の施錠基材(図示せず)に施錠機構４２,４４と施錠装置５８とを組付けてユニット化し、これを、中枠開放側枠部３８に取付ける構成を採っていた。一方、実施例で示した施錠部６０においては、中枠開放側枠部３８に第１,第２施錠機構４２,４４と施錠装置５８とを直接取り付けて構成することにより、前記施錠基材を不要とすることができる。これにより、施錠基材の取付面の厚さと、これを中枠開放側枠部３８に結合するために従来必要であった取付座(図示せず)の厚さに相当するデッドスペースを削減し、中枠１４における前記遊技盤保持空間１８として使用可能な面積を拡大することが可能となる。またこの結果、施錠基材、および上記の取付座や緊締具などの部品点数を削減することができ、機体の製造、組立コストの削減が図られる。
【００３２】
また、実施例に係る中枠開放側枠部３８の断面形状は、機外方向に拡張する階段状に形成されており、これにより前記遊技盤保持空間１８の拡大を図ることができる。また、前記第１,第２施錠機構４２,４４を中枠開放側枠部３８の第２段部３８ｃ内に収容する構成としたので、前枠１６や中枠１４の開閉時に第１,第２施錠機構４２,４４が干渉することがなく、また、第１,第２施錠機構４２,４４を確実にスライドさせることができる。更に、中枠開放側枠部３８の横断面を階段状とすることで、高い剛性と曲げおよび座屈強度を確保し得る。しかも、第１,第２施錠機構４２,４４および外枠開放側枠部５０を、夫々第１,第２段部３８ｂ,３８ｃに収容する構成とすることで、遊技機１０の正面から見た場合に、中枠開放側枠部３８、第１,第２施錠機構４２,４４および外枠開放側枠部５０の各厚さの合計よりも遙かに小さな幅寸法とすることが可能となり、遊技盤保持空間１８として使用可能な面積を充分に拡大することができる。
【００３３】
また、遊技球が転動流下する遊技領域２０ａは中枠１４の前面側に形成されることが一般的であるところ、中枠開放側枠部３８の階段状の横断面を遊技機１０の後側から前側に向かって機外方向に広がる方向に形成することによって、前記遊技領域２０ａのさらなる拡大を図ることができる。また、中枠開放側枠部３８の横断面には、前記閉領域３８ｆ、段差部３８ｇおよび突起部３８ｈが形成されている。前記閉領域３８ｆは、階段状断面の両端に近い位置に設けることで中枠開放側枠部３８の局所的な座屈や曲げ変形に対する強度を好適に高めることができると共に、機枠内部への不正な侵入も防止できる。また前記閉領域３８ｆを第１段部３８ｂの前方に形成したことにより、外枠１２の前縁を第１段部３８ｂに収納保持する際に、かかる前縁が第１段部３８ｂと所定の撃力をもって衝突したとしても、第１段部３８ｂまたはその近傍の損傷を防止できる。また、前記段差部３８ｇは、中枠開放側枠部３８の機械特性を向上するリブの機能も兼ねている。更に、前記突起部３８ｈを中枠開放側枠部３８の前後方向に延出することにより、それぞれ中枠１４と前枠１６、中枠１４と外枠１２との重なり長さが大きくなるため、やはり器具などを用いての機枠内部への不正な侵入を防止することができる。更にまた、遊技機１０の前側に向かって広がる階段状の横断面形状としたことで中枠開放側枠部３８の後側が内部に入り込む形となるため、遊技機１０の後側より機枠の内部に侵入することがより困難となる。
【００３４】
なお、実施例では、後方カバー部６４が施錠装置５８における後部５８ｄの全体を覆うように構成したが、リセットレバー５８ｂを保護し得るのであれば、例えば、図１２に示すように、施錠装置５８の後部５８ｄの一部を覆うように変更してもよい。また、実施例においては、施錠装置５８の後方を覆う後方カバー部６４が中枠１４の下枠部３４に一体成形した場合を示したが、例えば、図１４に示すように、後方カバー部６４を中枠開放側枠部３８の機内側に一体的に設けてもよい。更に後方カバー部６４を別体構成として、施錠装置５８の後方を覆うよう下枠部３４や中枠開放側枠部３８に配設してもよい。更にまた、実施例では、後方カバー部６４と中枠開放側枠部３８とを合わせて保護カバーとして機能させた場合を示したが、少なくともリセットレバー５８ｂを覆って不正操作を防止し得るならば、単独の保護カバーを採用することも可能である。この場合、前記リセット用開口部は、保護カバーの開放側(外枠１２に対向する側)に設けられ、また、前記施錠部６０にはリセット用開口部に対応する位置に所要の開口部が開設されることとなる。
【００３５】
また実施例においては、本発明に係る不正リセット防止構造について、遊技球を使用する遊技機１０を例に説明したが、本発明を実施可能な遊技機としてはこれに限定されるものではない。例えば、遊技機がスロットマシンや、パチンコ球を使用したスロットマシン等である場合が挙げられる。また、前記第１,第２施錠機構４２,４４の駆動方式も、本実施例で示した係合片(中枠鉤片４２ｂおよび前枠鉤片４４ｃ)を連結する第１,第２施錠杆４２ｃ,４４ｄをカム６２により昇降駆動する機械式のもののほか、モーターやソレノイドを駆動力とする電気式のものを使用または併用することもできる。また、前記第１および第２施錠機構４２,４４は、ともに昇降動作する２機の機構から構成する場合を示したが、施錠機構としてはこのほか、中枠１４および外枠１２の開放を規制する機能と、前枠１６および中枠１４の機枠の開放を規制する機能を有する限り、１機の機構によってこれを実現してもよい。また、第１,第２施錠機構４２,４４が一部の部材を共有することもまた排除するものではない。
【００３６】
また実施例においては、中枠開放側枠部３８の階段状の横断面のうち、いずれかの段の内部に第１,第２施錠機構４２,４４を収納した状態で組付けることが好適であるところ、第１,第２施錠杆４２ｃ,４４ｄを薄型の板状とすることが機枠の幅寸法を小さくする観点から好適である。なお、ここでいう板状とは、端部に折り返しなどの面外突出部を有する態様を排除するものではなく、施錠杆が全体に薄型で中枠開放側枠部３８の厚みを抑制できるものという趣旨である。ここで、さらに第１,第２施錠杆４２ｃ,４４ｄを、中枠開放側枠部３８に平行な１つの平面内に並べた状態で前記段の内部に収納することにより、施錠機構の厚みをより小さなものとすることができる。すなわち、実施例においては第１,第２施錠杆４４ｄが互いに重なった状態で中枠開放側枠部３８に組み付けられているところ、これを横並びの状態で組み付けることにより、第１段部３８ｂの幅をより小さなものとすることができる。なお、例えばカム６２の第１突片６２ａおよび第２突片６２ｂの前後方向のオフセット量を十分に大きくすることで、かかる１つの平面内に並設された２つの施錠杆をともに駆動することが可能である。また、第１,第２施錠杆４２ｃ,４４ｄの機能を併せもつ１枚の板カムを施錠装置５８で駆動する方式とすれば、同様に幅寸法の削減の効果を得られるとともに、さらに部品点数の低減も図ることができる。
【図面の簡単な説明】
【００３７】
【図１】実施例に係る不正リセット防止構造が実装された遊技機を示す正面図である。
【図２】実施例に係る中枠を、各枠部を分解した状態で示す斜視図である。
【図３】実施例に係る中枠を正面側から見た斜視図である。
【図４】実施例に係る中枠を開放させた状態の遊技機を示す斜視図である。
【図５】実施例に係る施錠部を示す斜視図であって、(ａ)は施錠装置を示す拡大背面図、(ｂ)は施錠部を軸側から見た場合を示す。
【図６】実施例の施錠部を示す分解斜視図である。
【図７】中枠を開放した状態における中枠開放側枠部の横断面図である。
【図８】中枠を閉成した状態における中枠開放側枠部の断面図であって、図３のVIII−VIII線横断面図である。
【図９】第１,第２開放規制部材および閉鎖規制部材の係合構造を示す拡大図であって、(ａ)は、第１開放規制部材のストッパー片が第２開放規制部材のストッパー当接部に係合した状態を示し、(ｂ)は閉鎖規制部材の非作動状態を示し、(ｃ)はストッパー片とストッパー当接部との係合が解除された状態を示し、(ｄ)は第１施錠機構が下方へスライドして閉鎖規制部材が作動する直前の状態を示し、(ｅ)は閉鎖規制部材が規制部と係合した状態を示す。
【図１０】実施例に係る施錠部を開放側から見た側面図であって、(ａ)は中枠閉成時を示し、(ｂ)は第１施錠機構を下方へスライドさせた状態を示し、(ｃ)は中枠が開放して閉鎖規制部材が規制部と係合した状態を示す。
【図１１】中枠開放時における施錠装置付近を示す拡大図である。
【図１２】変更例に係る不正リセット防止構造が実装された中枠を示す拡大断面図である。
【図１３】実施例に係る外枠を示す斜視図である。
【図１４】別の変更例に係る不正リセット防止構造が実装された施錠部を示す斜視図である。
【符号の説明】
【００３８】
１２ 外枠，１４ 中枠，１６ 前枠，３２ 上枠部(枠部)，３４ 下枠部(枠部)
３６ 軸側枠部(左右一方の枠部)，３８ 中枠開放側枠部(左右他方の枠部)
３８ａ 中枠開口部，３８ｂ 第１段部(段部)，４２ 第１施錠機構
４２ａ 開口部(第１開口部)，４４ 第２施錠機構，４４ａ 開口部(第２開口部)
５８ 施錠装置，５８ａ 鍵孔，５８ｂ リセットレバー(操作部)，５８ｄ 後部
６４ 後方カバー部，８０ リセット用開口部，８２ 収容空間
【図１】
0004817943.tif 000002
【図２】
0004817943.tif 000003
【図３】
0004817943.tif 000004
【図４】
0004817943.tif 000005
【図５】
0004817943.tif 000006
【図６】
0004817943.tif 000007
【図７】
0004817943.tif 000008
【図８】
0004817943.tif 000009
【図９】
0004817943.tif 000010
【図１０】
0004817943.tif 000011
【図１１】
0004817943.tif 000012
【図１２】
0004817943.tif 000013
【図１３】
0004817943.tif 000014
【図１４】
0004817943.tif 000015